(57)【要約】【課題】投薬カウンターにおける薬袋への薬品の入れ間違いを防止することを目的とする。【解決手段】薬袋監査装置１００において、記憶部１５０が、処方箋３１の処方内容ごとに薬品が入れられる薬袋３４を識別する薬袋識別情報と、薬袋３４に入れられる薬品の薬品名とを含む処方箋情報１５１を記憶する。薬袋印刷機９０５が、薬袋識別情報を表す薬袋コード３２を薬袋に付与する。バーコードリーダ９０６が、薬袋３４に付与された薬袋コード３２と、処方箋３１に基づいて調剤された薬品のうち薬袋３４に入れられる薬品の薬品コード３３とを読み取る。判定部１３０が、薬品コード３３に対応する薬品が薬袋コード３２に対応する薬袋３４に入れられる薬袋適合薬品であるかを判定する。表示部１４０が、判定部１３０による判定結果を表示装置９０７に表示する。【選択図】図１
2019063383.tif 000002
【特許請求の範囲】
【請求項１】
処方箋の処方内容ごとに薬品が入れられる薬袋を識別する薬袋識別情報と、前記薬袋に入れられる薬品の薬品名とを含む処方箋情報を記憶する記憶部と、
前記処方箋情報に基づいて、前記薬袋識別情報を表す薬袋コードを前記薬袋に付与する薬袋コード付与部と、
前記薬袋に付与された前記薬袋コードを読み取る薬袋コード読取部と、
薬品を識別する薬品コードであって、前記処方箋に基づいて調剤された薬品のうち前記薬袋に入れられる薬品に付与されている薬品コードを読み取る薬品コード読取部と、
前記薬品コードと前記薬袋コードと前記処方箋情報とに基づいて、前記薬品コードに対応する薬品が前記薬袋コードに対応する薬袋に入れられる薬袋適合薬品であるかを判定する判定部と、
前記判定部による判定結果を表示装置に表示する表示部と
を備えた薬袋監査装置。
【請求項２】
前記表示部は、
前記薬袋コード読取部により前記薬袋コードが読み取られると、前記薬袋コードと前記処方箋情報とに基づいて、前記薬袋に入れられる薬品の薬品名を表示した監査画面を前記表示装置に表示する画面表示部と、
前記判定部から前記判定結果を取得し、前記監査画面に表示された薬品名に前記判定結果を対応付けて表示する結果表示部と
を備えた請求項１に記載の薬袋監査装置。
【請求項３】
前記処方箋情報は、
薬品の調剤に関する調剤情報を前記処方内容に含み、
前記判定部は、
前記薬品コードに対応する薬品が前記薬袋適合薬品であると判定すると、前記調剤情報に基づいて、前記薬袋適合薬品が目視で確認すべき要確認薬品かを判定し、
前記結果表示部は、
前記薬袋適合薬品が前記要確認薬品でない場合、前記監査画面に表示された前記薬袋適合薬品に対応する監査結果に、正常を表すマークを表示する請求項２に記載の薬袋監査装置。
【請求項４】
前記結果表示部は、
前記判定部により前記薬品コードに対応する薬品が前記薬袋適合薬品でないと判定されると、前記薬品コードに対応する薬品が前記薬袋適合薬品でないことを表すエラーメッセージを前記表示装置に表示する請求項３に記載の薬袋監査装置。
【請求項５】
前記結果表示部は、
前記薬袋適合薬品が前記要確認薬品である場合、前記監査画面に表示された前記薬袋適合薬品に対応する監査結果に、目視による確認を促すマークを表示する請求項３に記載の薬袋監査装置。
【請求項６】
前記薬袋監査装置は、
薬品名と薬品コードとを対応付けた薬品テーブルを備え、
前記判定部は、
前記薬品コードに基づいて前記薬品テーブルから前記薬品コードに対応する薬品名を取得し、前記薬袋コードに基づいて前記処方箋情報から前記薬袋コードが表す前記薬袋識別情報に対応する薬品名を取得し、前記薬品コードに対応する薬品名が前記薬袋識別情報に対応する薬品名に含まれる場合に、前記薬品コードに対応する薬品が前記薬袋適合薬品であると判定する請求項１から５のいずれか１項に記載の薬袋監査装置。
【請求項７】
前記判定部は、
前記薬袋ごとの監査の履歴を監査履歴情報として前記記憶部に記憶する請求項１から６のいずれか１項に記載の薬袋監査装置。
【請求項８】
前記表示部は、
前記監査履歴情報の表示要求を受け付けると、前記監査履歴情報を前記表示装置に表示する履歴表示部を備えた請求項７に記載の薬袋監査装置。
【請求項９】
前記薬袋コードは、２次元バーコードである請求項１から８のいずれか１項に記載の薬袋監査装置。
【請求項１０】
処方箋の処方内容ごとに薬品が入れられる薬袋を識別する薬袋識別情報と、前記薬袋に入れられる薬品の薬品名とを含む処方箋情報を記憶する記憶部を備えた薬袋監査装置の薬袋監査方法において、
薬袋コード付与部が、前記処方箋情報に基づいて、前記薬袋識別情報を表す薬袋コードを前記薬袋に付与し、
薬袋コード読取部が、前記薬袋に付与された前記薬袋コードを読み取り、
薬品コード読取部が、薬品を識別する薬品コードであって、前記処方箋に基づいて調剤された薬品のうち前記薬袋に入れられる薬品に付与されている薬品コードを読み取り、
判定部が、前記薬品コードと前記薬袋コードと前記処方箋情報とに基づいて、前記薬品コードに対応する薬品が前記薬袋コードに対応する薬袋に入れられる薬袋適合薬品であるかを判定し、
表示部が、前記判定部による判定結果を表示装置に表示する薬袋監査方法。
【請求項１１】
処方箋の処方内容ごとに薬品が入れられる薬袋を識別する薬袋識別情報と、前記薬袋に入れられる薬品の薬品名とを含む処方箋情報を記憶する記憶部を備えた薬袋監査装置の薬袋監査プログラムにおいて、
前記処方箋情報に基づいて、前記薬袋識別情報を表す薬袋コードを前記薬袋に付与する薬袋コード付与処理と、
前記薬袋から読み取られた前記薬袋コードと、薬品を識別する薬品コードであって前記処方箋に基づいて調剤された薬品のうち前記薬袋に入れられる薬品から読み取られた薬品コードとを取得し、前記薬品コードと前記薬袋コードと前記処方箋情報とに基づいて、前記薬品コードに対応する薬品が前記薬袋コードに対応する薬袋に入れられる薬袋適合薬品であるかを判定する判定処理と、
前記判定処理による判定結果を表示装置に表示する表示処理と
をコンピュータである前記薬袋監査装置に実行させる薬袋監査プログラム。
【発明の詳細な説明】
【技術分野】
【０００１】
本発明は、薬袋監査装置、薬袋監査方法、および薬袋監査プログラムに関する。特に、投薬カウンターでの薬袋監査に用いる薬袋監査装置、薬袋監査方法、および薬袋監査プログラムに関する。
【背景技術】
【０００２】
１つの処方箋に対して、処方内容ごとに薬品を分けて薬袋に入れる場合がある。この場合、投薬カウンターにおいて、薬袋への薬品の入れ間違いが発生する虞がある。
特許文献１には、調剤薬局における調剤時の薬品の取り違い、二重の調剤、あるいは調剤漏れといった不具合を防止する技術が開示されている。
【先行技術文献】
【特許文献】
【０００３】
【特許文献１】特開２００３−２８４７６０号公報
【発明の概要】
【発明が解決しようとする課題】
【０００４】
特許文献１の技術では、１つの処方箋に対して複数の薬袋が必要な場合、正しく薬品がピッキングされていたとしても、投薬カウンターにおいて薬袋への薬品の入れ間違いが発生する虞があるという課題がある。
【０００５】
本発明は、薬袋への薬品の入れ間違いを防止することを目的とする。
【課題を解決するための手段】
【０００６】
本発明に係る薬袋監査装置は、
処方箋の処方内容ごとに薬品が入れられる薬袋を識別する薬袋識別情報と、前記薬袋に入れられる薬品の薬品名とを含む処方箋情報を記憶する記憶部と、
前記処方箋情報に基づいて、前記薬袋識別情報を表す薬袋コードを前記薬袋に付与する薬袋コード付与部と、
前記薬袋に付与された前記薬袋コードを読み取る薬袋コード読取部と、
薬品を識別する薬品コードであって、前記処方箋に基づいて調剤された薬品のうち前記薬袋に入れられる薬品に付与されている薬品コードを読み取る薬品コード読取部と、
前記薬品コードと前記薬袋コードと前記処方箋情報とに基づいて、前記薬品コードに対応する薬品が前記薬袋コードに対応する薬袋に入れられる薬袋適合薬品であるかを判定する判定部と、
前記判定部による判定結果を表示装置に表示する表示部とを備えた。
【０００７】
前記表示部は、
前記薬袋コード読取部により前記薬袋コードが読み取られると、前記薬袋コードと前記処方箋情報とに基づいて、前記薬袋に入れられる薬品の薬品名を表示した監査画面を前記表示装置に表示する画面表示部と、
前記判定部から前記判定結果を取得し、前記監査画面に表示された薬品名に前記判定結果を対応付けて表示する結果表示部とを備えた。
【０００８】
前記処方箋情報は、
薬品の調剤に関する調剤情報を前記処方内容に含み、
前記判定部は、
前記薬品コードに対応する薬品が前記薬袋適合薬品であると判定すると、前記調剤情報に基づいて、前記薬袋適合薬品が目視で確認すべき要確認薬品かを判定し、
前記結果表示部は、
前記薬袋適合薬品が前記要確認薬品でない場合、前記監査画面に表示された前記薬袋適合薬品に対応する監査結果に、正常を表すマークを表示する。
【０００９】
前記結果表示部は、
前記判定部により前記薬品コードに対応する薬品が前記薬袋適合薬品でないと判定されると、前記薬品コードに対応する薬品が前記薬袋適合薬品でないことを表すエラーメッセージを前記表示装置に表示する。
【００１０】
前記結果表示部は、
前記薬袋適合薬品が前記要確認薬品である場合、前記監査画面に表示された前記薬袋適合薬品に対応する監査結果に、目視による確認を促すマークを表示する。
【００１１】
前記薬袋監査装置は、
薬品名と薬品コードとを対応付けた薬品テーブルを備え、
前記判定部は、
前記薬品コードに基づいて前記薬品テーブルから前記薬品コードに対応する薬品名を取得し、前記薬袋コードに基づいて前記処方箋情報から前記薬袋コードが表す前記薬袋識別情報に対応する薬品名を取得し、前記薬品コードに対応する薬品名が前記薬袋識別情報に対応する薬品名に含まれる場合に、前記薬品コードに対応する薬品が前記薬袋適合薬品であると判定する。
【００１２】
前記判定部は、
前記薬袋ごとの監査の履歴を監査履歴情報として前記記憶部に記憶する。
【００１３】
前記表示部は、
前記監査履歴情報の表示要求を受け付けると、前記監査履歴情報を前記表示装置に表示する履歴表示部を備えた。
【００１４】
前記薬袋コードは、２次元バーコードである。
【００１５】
本発明に係る薬袋監査方法は、処方箋の処方内容ごとに薬品が入れられる薬袋を識別する薬袋識別情報と、前記薬袋に入れられる薬品の薬品名とを含む処方箋情報を記憶する記憶部を備えた薬袋監査装置の薬袋監査方法において、
薬袋コード付与部が、前記処方箋情報に基づいて、前記薬袋識別情報を表す薬袋コードを前記薬袋に付与し、
薬袋コード読取部が、前記薬袋に付与された前記薬袋コードを読み取り、
薬品コード読取部が、薬品を識別する薬品コードであって、前記処方箋に基づいて調剤された薬品のうち前記薬袋に入れられる薬品に付与されている薬品コードを読み取り、
判定部が、前記薬品コードと前記薬袋コードと前記処方箋情報とに基づいて、前記薬品コードに対応する薬品が前記薬袋コードに対応する薬袋に入れられる薬袋適合薬品であるかを判定し、
表示部が、前記判定部による判定結果を表示装置に表示する。
【００１６】
本発明に係る薬袋監査プログラムは、処方箋の処方内容ごとに薬品が入れられる薬袋を識別する薬袋識別情報と、前記薬袋に入れられる薬品の薬品名とを含む処方箋情報を記憶する記憶部を備えた薬袋監査装置の薬袋監査プログラムにおいて、
前記処方箋情報に基づいて、前記薬袋識別情報を表す薬袋コードを前記薬袋に付与する薬袋コード付与処理と、
前記薬袋から読み取られた前記薬袋コードと、薬品を識別する薬品コードであって前記処方箋に基づいて調剤された薬品のうち前記薬袋に入れられる薬品から読み取られた薬品コードとを取得し、前記薬品コードと前記薬袋コードと前記処方箋情報とに基づいて、前記薬品コードに対応する薬品が前記薬袋コードに対応する薬袋に入れられる薬袋適合薬品であるかを判定する判定処理と、
前記判定処理による判定結果を表示装置に表示する表示処理とをコンピュータである前記薬袋監査装置に実行させる。
【発明の効果】
【００１７】
本発明に係る薬袋監査装置では、記憶部が、処方内容ごとに薬品が入れられる薬袋を識別する薬袋識別情報と、薬袋に入れられる薬品の薬品名とを含む処方箋情報を記憶する。薬袋コード付与部が、処方箋情報に基づいて、薬袋識別情報を表す薬袋コードを薬袋に付与する。判定部が、薬袋から読み取られた薬袋コードと、その薬袋に入れられる薬品として調剤された薬品から読み取られた薬品コードとを取得する。そして、判定部が、薬品コードに対応する薬品が薬袋コードに対応する薬袋に入れられる薬袋適合薬品であるかを判定する。よって、本発明に係る薬袋監査装置よれば、薬袋への薬品の入れ間違いを防止することができる。
【図面の簡単な説明】
【００１８】
【図１】実施の形態１に係る薬袋監査装置１００の構成図。
【図２】実施の形態１に係る薬袋監査処理Ｓ１００のフロー図。
【図３】実施の形態１に係る処方箋情報１５１の例を示す図。
【図４】実施の形態１に係る薬袋３４の例を示す図。
【図５】図２のステップＳ１３０の監査処理の詳細フロー図。
【図６】図５のステップＳ３０２において薬袋コード３２が正常に読み取られなかったと判定された場合のエラー判定ケース例と、エラーメッセージおよび処理の例を示す図。
【図７】ステップＳ３０３において表示される監査画面３５の例を示す図。
【図８】実施の形態１に係る薬品テーブル１５２の例を示す図。
【図９】薬品コード３３に対応する薬品が薬袋適合薬品でないことを表すエラーメッセージを監査画面３５に表示した例を示す図。
【図１０】ステップＳ３０６において薬品コード３３に対応する薬品が薬袋適合薬品でないと判定された場合のエラー判定ケース例と、エラーメッセージおよび処理の例を示す図。
【図１１】実施の形態１に係る監査画面３５において判定結果が表示された状態を示す図。
【図１２】実施の形態１に係る監査画面３５において「取消」ボタンが「目視」ボタンに遷移した状態を示す図。
【図１３】実施の形態１に係る監査履歴情報１５３の表示例を示す図。
【図１４】実施の形態１の変形例に係る薬袋管理シート３７の例を示す図。
【発明を実施するための形態】
【００１９】
以下、本発明の実施の形態について、図を用いて説明する。なお、各図中、同一または相当する部分には、同一符号を付している。実施の形態の説明において、同一または相当する部分については、説明を適宜省略または簡略化する。
【００２０】
実施の形態１．
＊＊＊構成の説明＊＊＊
図１を用いて、本実施の形態に係る薬袋監査装置１００の構成の例について説明する。
薬袋監査装置１００は、例えば、調剤薬局の投薬カウンターで用いられる。薬袋監査装置１００は、薬袋に入れる予定の薬品として薬剤師により調剤された薬品が、その薬袋に真に入れるべき薬袋適合薬品であるかを監査する機能を有する。また、薬袋監査装置１００は、薬袋の監査の結果、および、薬袋の監査の履歴をディスプレイに表示する機能を有する。
【００２１】
図１に示すように、薬袋監査装置１００は、コンピュータである。薬袋監査装置１００は、プロセッサ９０１、メモリ９０２、補助記憶装置９０３、入力装置９０４、薬袋印刷機９０５、バーコードリーダ９０６、および表示装置９０７といったハードウェアを備える。プロセッサ９０１は、信号線を介して他のハードウェアと接続され、これら他のハードウェアを制御する。
【００２２】
薬袋監査装置１００は、機能構成要素として、薬袋コード読取部１０と、薬品コード読取部２０と、処方箋情報生成部１１０と、薬袋コード付与部１２０と、判定部１３０と、表示部１４０と、記憶部１５０とを備える。表示部１４０は、画面表示部１４１と、結果表示部１４２と、履歴表示部１４３とを備える。記憶部１５０には、処方箋情報１５１と、薬品テーブル１５２と、監査履歴情報１５３とが記憶される。
薬袋コード読取部１０と薬品コード読取部２０は、バーコードリーダ９０６に備えられる。また、処方箋情報生成部１１０と薬袋コード付与部１２０と判定部１３０と表示部１４０の機能は、ソフトウェアで実現される。記憶部１５０は、メモリ９０２に備えられる。
【００２３】
プロセッサ９０１は、演算処理を行うＩＣ（Ｉｎｔｅｇｒａｔｅｄ  Ｃｉｒｃｕｉｔ）である。プロセッサ９０１は、例えば、ＣＰＵ（Ｃｅｎｔｒａｌ  Ｐｒｏｃｅｓｓｉｎｇ  Ｕｎｉｔ）である。
【００２４】
メモリ９０２は、データを一時的に記憶する記憶装置である。メモリ９０２は、例えば、ＳＲＡＭ（Ｓｔａｔｉｃ  Ｒａｎｄｏｍ  Ａｃｃｅｓｓ  Ｍｅｍｏｒｙ）、あるいはＤＲＡＭ（Ｄｙｎａｍｉｃ  Ｒａｎｄｏｍ  Ａｃｃｅｓｓ  Ｍｅｍｏｒｙ）である。
【００２５】
補助記憶装置９０３は、データを保管する記憶装置である。補助記憶装置９０３は、例えば、ＨＤＤである。また、補助記憶装置９０３は、ＳＤ（登録商標）メモリカード、ＣＦ、ＮＡＮＤフラッシュ、フレキシブルディスク、光ディスク、コンパクトディスク、ブルーレイ（登録商標）ディスク、ＤＶＤといった可搬記録媒体であってもよい。なお、ＨＤＤは、Ｈａｒｄ  Ｄｉｓｋ  Ｄｒｉｖｅの略語である。ＳＤ（登録商標）は、Ｓｅｃｕｒｅ  Ｄｉｇｉｔａｌの略語である。ＣＦは、ＣｏｍｐａｃｔＦｌａｓｈの略語である。ＤＶＤは、Ｄｉｇｉｔａｌ  Ｖｅｒｓａｔｉｌｅ  Ｄｉｓｋの略語である。
【００２６】
入力装置９０４は、例えば、マウス、キーボード、あるいはタッチパネルである。入力装置９０４が接続される入力インタフェースは、例えば、ＵＳＢ（Ｕｎｉｖｅｒｓａｌ  Ｓｅｒｉａｌ  Ｂｕｓ）端子である。
【００２７】
薬袋印刷機９０５は、薬袋３４に、患者名、薬品の名称である薬品名、薬品の処方内容、および、薬袋３４を識別する薬袋コード３２といった情報を印刷する印刷機である。
バーコードリーダ９０６は、薬袋３４に付与されている薬袋コード３２、および、薬品に付与されている薬品コード３３といったバーコードを読み取る読取装置である。
【００２８】
表示装置９０７は、例えば、ディスプレイである。表示装置９０７が接続される出力インタフェースは、例えば、ＵＳＢ端子またはＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。ディスプレイは、例えば、ＬＣＤ（Ｌｉｑｕｉｄ  Ｃｒｙｓｔａｌ  Ｄｉｓｐｌａｙ）である。
【００２９】
薬袋監査プログラムは、プロセッサ９０１に読み込まれ、プロセッサ９０１によって実行される。メモリ９０２には、薬袋監査プログラムだけでなく、ＯＳ（Ｏｐｅｒａｔｉｎｇ  Ｓｙｓｔｅｍ）も記憶されている。プロセッサ９０１は、ＯＳを実行しながら、薬袋監査プログラムを実行する。薬袋監査プログラムおよびＯＳは、補助記憶装置９０３に記憶されていてもよい。補助記憶装置９０３に記憶されている薬袋監査プログラムおよびＯＳは、メモリ９０２にロードされ、プロセッサ９０１によって実行される。なお、薬袋監査プログラムの一部または全部がＯＳに組み込まれていてもよい。
【００３０】
薬袋監査プログラムは、処方箋情報生成部１１０と薬袋コード付与部１２０と判定部１３０と表示部１４０の各部の「部」を「処理」、「手順」あるいは「工程」に読み替えた各処理、各手順あるいは各工程を、コンピュータに実行させる。また、薬袋監査方法は、薬袋監査装置１００が薬袋監査プログラムを実行することにより行われる方法である。
薬袋監査プログラムは、コンピュータ読取可能な可搬記録媒体に格納されてもよい。また、薬袋監査プログラムは、プログラムプロダクトとして提供されてもよい。
【００３１】
＊＊＊動作の説明＊＊＊
図２を用いて、本実施の形態に係る薬袋監査処理Ｓ１００について説明する。
薬袋監査処理Ｓ１００は、ステップＳ１１０の処方箋情報生成処理と、ステップＳ１２０の薬袋コード付与処理と、ステップＳ１３０の監査処理とを有する。
【００３２】
＜処方箋情報生成処理＞
ステップＳ１１０において、処方箋情報生成部１１０は、入力装置９０４を介して、処方箋３１を受け付ける。処方箋情報生成部１１０は、受け付けた処方箋３１に基づいて、処方箋情報１５１を生成する。処方箋情報生成部１１０は、生成した処方箋情報１５１を記憶部１５０に記憶する。
【００３３】
図３を用いて、本実施の形態に係る処方箋情報１５１の例について説明する。
処方箋情報１５１は、薬袋識別情報５１１と、薬品名５１２と、処方内容５１３とを含む。
薬袋識別情報５１１は、処方箋３１の処方内容ごとに薬品が入れられる薬袋３４を識別する情報である。具体的には、薬袋識別情報５１１は、調剤日と受付番号と薬袋番号から構成される。調剤日は、処方箋３１にしたがって調剤する日である。受付番号は、その日に受け付けた処方箋に順番に付与される連番である。薬袋番号は、１つの処方箋３１に対応する薬袋３４に対して順番に付与される連番である。すなわち、１つの処方箋３１に対応する薬袋３４が２つの場合、薬袋番号は２つの薬袋３４に、１，２と付与される。調剤日と受付番号と薬袋番号とにより、薬袋３４を一意に識別することができる。
なお、処方箋情報生成部１１０が処方内容ごとに薬袋３４を分ける方法として、薬品の服用方法ごとに分ける方法がある。具体的には、図３に示すように、毎食後に服用する薬品を薬袋番号１とし、昼食後に服用する薬品を薬袋番号２とする。あるいは、服用時ごとに薬袋３４を分ける方法を採用してもよい。具体的には、朝に服用する薬品と、昼に服用する薬品と、夜に服用する薬品を分けて、それぞれ異なる薬袋としてもよい。処方内容ごとに薬袋３４を分ける方法として、その他の方法を採用してもよい。このように処方箋情報生成部１１０は、予め定められた何らかのルールにより、薬品をグループ分けして薬袋番号毎の薬品を決定する。
また、処方箋情報１５１には、処方箋３１の受付番号に対応付けて、その処方箋３１の患者に関する情報を設定してもよい。あるいは、処方箋情報１５１とは別に、処方箋３１の受付番号と、その処方箋３１の患者に関する情報とを対応付けたテーブルを設けて、患者に関する情報を管理してもよい。
【００３４】
薬品名５１２には、薬袋識別情報５１１により識別される薬袋３４に入れるべき薬品の名称が設定される。つまり薬品名５１２は、処方箋３１に基づいて、薬剤師が決定した薬品の名称となる。なお、本実施の形態に係る処方箋情報１５１では、薬品名を用いて薬品を管理する方式を採用している。しかし、薬品を一意に識別することができる情報であれば薬品名でなくてもよく、例えば、薬品識別コードといった情報でもよい。あるいは、処方箋情報１５１には、薬品名と薬品識別コードの両方が設定されていてもよい。
処方内容５１３は、薬品の処方に関する情報である。処方内容５１３には、服用方法５１３ａと、処方日数５１３ｂと、調剤情報５１３ｃとが含まれる。服用方法５１３ａは、服用する時と、１回に服用する量である。処方日数５１３ｂは、何日分の薬品を処方するかを表す。また、調剤情報５１３ｃとは、薬品の調剤に関する情報である。例えば、一包化（あるいは分包化ともいう）されている薬品には「混」と記載される。また、同じ薬品であっても１包の内容量が異なる薬品がある場合には「複」と記載される。
【００３５】
＜薬袋コード付与処理＞
ステップＳ１２０において、薬袋コード付与部１２０は、処方箋情報１５１に基づいて、薬袋識別情報５１１を表す薬袋コード３２を薬袋３４に付与する。具体的には、薬袋コード付与部１２０は、調剤日と受付番号と薬袋番号からなる薬袋識別情報５１１から薬袋コード３２を生成し、薬袋印刷機９０５を用いて、生成した薬袋コード３２を薬袋３４に印刷する。薬袋コード３２は、具体的には、ＱＲ（Ｑｕｉｃｋ  Ｒｅｓｐｏｎｓｅ）コードといった２次元バーコードである。薬袋コード３２は、薬袋識別情報５１１を表すことができればその他のコードでもよい。
【００３６】
図４は、図３の処方箋情報１５１に基づいて印刷された薬袋３４の例を示す図である。
図４では、薬袋番号１の薬袋３４を示している。薬袋コード付与部１２０は、薬袋印刷機９０５を用いて、１つの薬袋３４に、調剤日が２０１７年（平成２９年）９月１９日、受付番号１０、および薬袋番号１を表す薬袋コード３２を印刷する。また、薬袋コード付与部１２０は、別の薬袋３４に、２０１７年（平成２９年）９月１９日、受付番号１０、および薬袋番号２を表す薬袋コード３２を印刷する。すなわち、図３の受付番号１０の処方箋から、２つの薬袋３４が印刷される。
【００３７】
＜監査処理＞
ステップＳ１３０において、薬袋監査装置１００は、監査処理を実行する。
図５を用いて、本実施の形態に係るステップＳ１３０の監査処理の詳細について説明する。図５のフローは、読み取った１つの薬品コード３３に対する監査処理を表している。
薬剤師は、処方箋３１に基づいて、薬品をピッキングする。そして、薬剤師は、処方箋３１に基づいて薬袋コード３２が付与された薬袋３４と、ピッキングした調剤薬品とを用いて、投薬カウンターにおいて薬袋監査を行う。
【００３８】
ステップＳ３０１において、薬袋コード読取部１０は、薬袋３４に付与された薬袋コード３２を読み取る。具体的には、投薬カウンターにおいて、バーコードリーダ９０６は、薬剤師がスキャナにかざした薬袋３４の薬袋コード３２を読み取る。バーコードリーダ９０６は、読み取った薬袋コード３２を判定部１３０に渡す。
【００３９】
ステップＳ３０２において、判定部１３０は、薬袋コード３２が正常に読み取られたかを判定する。薬袋コード３２が正常に読み取られた場合、処理はステップＳ３０３に進む。薬袋コード３２が正常に読み取られなかった場合、処理はステップＳ３０４に進む。
薬袋コード３２が正常に読み取られたかどうかの判定方法は、例えば、次のように行う。処方箋情報１５１の薬袋識別情報５１１ごとに、監査の状態を設定する監査状態の欄を設ける。監査状態には、監査が未、監査中、あるいは監査済みが設定される。判定部１３０は、バーコードリーダ９０６が取得した薬袋コード３２が表す薬袋識別情報５１１に対応する薬袋３４の監査状態を参照する。
監査状態が未の場合、判定部１３０は、薬袋コード３２が正常に読み取られたと判定し、ステップＳ３０３に進む。
監査状態が監査中あるいは監査完了の場合、判定部１３０は、薬袋コード３２が正常に読み取られなかったと判定し、ステップＳ３０４に進む。
ステップＳ３０４において、判定部１３０は、表示部１４０を介して、表示装置９０７にエラーメッセージを表示する。
【００４０】
図６は、図５のステップＳ３０２において薬袋コード３２が正常に読み取られなかったと判定された場合のエラー判定ケース例と、エラーメッセージおよび処理の例を示す図である。
例えば、監査状態が監査完了の場合、判定部１３０は、監査が完了した薬袋の薬袋コード３２を読み込んだと判定し、ステップＳ３０４において、監査が完了した監査画面を表示して、エラーメッセージ「監査が完了しています。もう一度監査を行いますか？」を表示する。その後の処理は図５のフロー図では省略するが、もう一度監査を行う場合（エラーメッセージに対して「はい」）には、もう一度監査処理を行う。また、監査を行わない場合（エラーメッセージに対して「いいえ」）には、監査画面を消す。
例えば、監査状態が監査中の場合、判定部１３０は、現在処理中の薬袋コード３２を読み込んだと判定し、ステップＳ３０４において、エラーメッセージ「監査中のＱＲコード（登録商標）を読み込みました」を表示する。そして、判定部１３０は、監査処理を続ける。
例えば、判定部１３０は、現在処理中の薬袋コード３２とは別の薬袋コードを読み込んだと判定した場合、ステップＳ３０４において、エラーメッセージ「監査途中に別のＱＲコード（登録商標）を読み込みました。現在行っている監査を完了しますか？」を表示する。その後の処理は図５のフロー図では省略するが、現在行っている監査を完了する場合（エラーメッセージに対して「はい」）には、現在処理中の内容を一旦確定し、読み込んだ薬袋コードの内容を表示する。また、エラーメッセージに対して「いいえ」の場合には、何もしない。
【００４１】
ステップＳ３０３において、判定部１３０は、画面表示部１４１を介して、監査画面３５を表示装置９０７に表示する。画面表示部１４１は、薬袋コード３２と処方箋情報１５１とに基づいて、薬袋３４に入れられる予定の薬品の薬品名を含む監査画面３５を表示装置９０７に表示する。
【００４２】
図７は、ステップＳ３０３において表示される監査画面３５の例である。
ここでは、監査画面３５のヘッダ部分には、患者に関する情報、調剤日、受付番号等が表示される。そして、監査画面３５のボディ部分には、薬袋番号と、薬袋番号に対応する薬袋に入れられる薬品の薬品名と、その薬品の全量と、その薬品に関する調剤情報が表示される。
例えば、図３の処方箋情報１５１におけるＣ散およびＤ散は、調剤情報５１３ｃに「混」と記載されている。この場合、画面表示部１４１は、監査画面３５において、Ｃ散およびＤ散の調剤情報の欄に「混」と表示する。また、図３の処方箋情報１５１におけるＤ散は、調剤情報５１３ｃに「複」と記載されている。この場合、画面表示部１４１は、監査画面３５において、Ｄ散の調剤情報の欄に「複」と表示する。
【００４３】
ステップＳ３０５において、薬品コード読取部２０は、処方箋３１に基づいて調剤された薬品のうち薬袋に入れられる薬品の薬品コード３３を読み取る。薬品コード３３は、薬品を識別するコードである。通常、薬品には、薬品を識別するバーコードが薬品コード３３として付与されている。薬品コード３３の具体例は、ＧＳ１（Ｇｌｏｂａｌ  Ｓｔａｎｄａｒｄ  Ｏｎｅ）コードである。
投薬カウンターにおいて、薬剤師は、バーコードリーダ９０６により、薬袋３４に入れる予定の調剤薬品の薬品コード３３を読み取る。バーコードリーダ９０６は、読み取った薬品コード３３を判定部１３０に渡す。
【００４４】
ステップＳ３０６において、判定部１３０は、薬品コード３３と薬袋コード３２と処方箋情報１５１とに基づいて、薬品コード３３に対応する薬品が薬袋コード３２に対応する薬袋３４に入れるべき薬袋適合薬品であるかを判定する。
具体的には、判定部１３０は、薬品コード３３に基づいて薬品テーブル１５２から薬品コード３３に対応する薬品名を取得する。そして、判定部１３０は、薬品コード３３に対応する薬品名が、薬袋コード３２により表される薬袋識別情報５１１に対応する薬品名に含まれる場合に、薬品コード３３に対応する薬品が薬袋適合薬品であると判定する。
【００４５】
図８は、本実施の形態に係る薬品テーブル１５２の例（ａ）および（ｂ）を示す図である。
図８の（ａ）では、薬品テーブル１５２として、単に、薬品名と薬品コードであるＧＳ１コードとが対応付けられたテーブルを示している。
図８の（ｂ）に示すように、薬品マスタとコード変換テーブルとの２つのテーブルを用いて、薬品テーブル１５２を実現してもよい。
薬品テーブル１５２は、薬品名と薬品コード（ＧＳ１コード）とを対応付けることができれば、どのような構成でも構わない。
【００４６】
薬品コード３３に対応する薬品が薬袋適合薬品であると判定された場合、処理はステップＳ３０７に進む。
薬品コード３３に対応する薬品が薬袋適合薬品でないと判定された場合、処理はステップＳ３０８に進む。
【００４７】
図９は、薬品コード３３に対応する薬品が薬袋適合薬品でないことを表すエラーメッセージを表示した例を示す図である。
ステップＳ３０８において、結果表示部１４２は、薬品コード３３に対応する薬品が薬袋適合薬品でないことを表すエラーメッセージを表示装置９０７に表示する。このとき、結果表示部１４２は、エラー判定ケースに応じたエラーメッセージを表示装置９０７に表示する。
【００４８】
図１０は、ステップＳ３０６において薬品コード３３に対応する薬品が薬袋適合薬品でないと判定された場合のエラー判定ケース例と、エラーメッセージおよび処理の例を示す図である。
例えば、判定部１３０が、薬品コード３３に対応する薬品が別の薬袋に入れるべき薬品であると判定した場合、結果表示部１４２を介して、「薬品○○○は、この薬袋に入れる薬品ではありません」といったエラーメッセージを表示装置９０７に表示する。この場合、ステップＳ３０６において判定部１３０は再度判定を行い、薬品コード３３に対応する薬品名が、薬袋識別情報５１１で特定される受付番号が同一で、薬袋番号が異なる薬品名５１２に含まれると判定している。
また、判定部１３０は、薬袋ごとの監査履歴情報１５３のエラー件数をカウントアップする。なお、エラー件数のカウントアップの詳細については後述する。そして、判定部１３０は次の薬品コード３３の入力を待つ。また、このとき、薬剤師により、インシデントの内容が監査画面３５のインシデントの欄に入力される。
また、例えば、判定部１３０が、薬品コード３３に対応する薬品が、処理中の処方箋３１と関係のない薬品であると判定した場合、結果表示部１４２を介して、「処方された薬品と異なるか、薬価コードの設定が間違っている薬品です」といったエラーメッセージを表示装置９０７に表示する。また、判定部１３０は、薬袋ごとの監査履歴情報１５３のエラー件数をカウントアップする。そして、判定部１３０は次の薬品コード３３の入力を待つ。また、このとき、薬剤師により、インシデントの内容が監査画面３５のインシデントの欄に入力される。
また、例えば、システムエラーにより薬品コード３３の読み取りに失敗した場合、結果表示部１４２は、「データ読取に失敗しました」といったエラーメッセージを表示装置９０７に表示する。判定部１３０は何もせずに次の薬品コード３３の入力を待つ。
なお、薬剤師により入力されるインシデント欄の入力内容は、「薬品違い」、「規格違い」、「メーカー違い」、「ピッキング違い」、「入力違い」、あるいは「薬袋違い」等から適宜選択される。
【００４９】
ステップＳ３０７において、判定部１３０は、調剤情報５１３ｃに基づいて薬袋適合薬品が目視で確認すべき要確認薬品かを判定する。具体的には、判定部１３０は、薬袋適合薬品について、処方箋情報１５１の調剤情報５１３ｃを参照する。判定部１３０は、薬袋適合薬品の調剤情報５１３ｃに記載がある場合に、薬袋適合薬品が要確認薬品であると判定する。
薬袋適合薬品が要確認薬品でないと判定された場合、処理はステップＳ３０９に進む。
薬袋適合薬品が要確認薬品であると判定された場合、処理はステップＳ３１０に進む。
【００５０】
ステップＳ３０９、ステップＳ３１０およびステップＳ３１１において、表示部１４０の結果表示部１４２は、判定部１３０による判定結果を表示装置９０７に表示する。結果表示部１４２は、判定部１３０から判定結果を取得し、監査画面３５に表示された薬品名に判定結果を対応付けて表示する。
ステップＳ３０９において、結果表示部１４２は、薬袋適合薬品の監査結果の欄に正常を表すマークを表示する。ステップＳ３０９では、処理中の薬品コード３３に対応する薬品は、薬袋適合薬品であり、かつ、要確認薬品ではない。よって、処理中の薬品コード３３に対応する薬品は、このまま薬袋３４に入れてよい薬品である。この場合、結果表示部１４２は、処理中の薬品コード３３に対応する薬品を薬袋３４に入れてよいことを表すマークを監査結果の欄に表示する。
【００５１】
図１１は、本実施の形態に係る監査画面３５において判定結果が表示された状態を示す図である。
図１２は、本実施の形態に係る監査画面３５において、ステップＳ３１０で目視が必要な薬品について、目視が完了した状態を示す図である。
図１１において、Ａ錠１０ｍｇおよびＢ軟膏は、薬袋適合薬品であり、かつ、要確認薬品ではないと判定された薬品である。よって、Ａ錠１０ｍｇおよびＢ軟膏の監査結果には、薬袋３４に入れてよいことを表す◎が設定される。なお、Ａ錠１０ｍｇのインシデントの欄には「規格違い」と記載されている。これは、前に読み取った薬品コード３３がＡ錠１０ｍｇと規格違いでエラーになったことを示している。その後、正しくＡ錠１０ｍｇの薬品コード３３を読み取って、Ａ錠１０ｍｇの監査結果の欄に◎が設定されたことを意味している。
【００５２】
ステップＳ３１０において、結果表示部１４２は、薬袋適合薬品の監査結果の欄に目視による確認を促すマークを表示する。ステップＳ３１０では、処理中の薬品コード３３に対応する薬品は、薬袋適合薬品であるが、要確認薬品である。すなわち、処理中の薬品コード３３に対応する薬品は、薬袋３４に入れるべき薬品であるが、目視による確認を必要とすることを意味している。この場合、結果表示部１４２は、処理中の薬品コード３３に対応する薬品に対して、目視で確認することを促す「目視」ボタンを目視の欄に表示する。
ステップＳ３１１において、結果表示部１４２は、目視の確認を受け付けると、図１２に示すように、目視が確認されたことを表す○マークを監査結果に表示するとともに、「取消」ボタンを目視の欄に表示する。この「取消」ボタンは、薬剤師が目視を取り消し、再度行うときに用いるボタンである。
【００５３】
例えば、図３の処方箋情報１５１に示すように、Ｃ散およびＤ散は、１包化（分包化ともいう）されている薬品である。このような薬品は取り違う可能性が高くなるため、目視が必要とされる。また、Ｄ散は、同じ薬品で異なる内容量のものが存在する。このような薬品の場合も取り違う可能性が高くなるため、目視が必要とされる。そこで、Ｃ散およびＤ散の目視の欄には目視の確認を受け付ける「目視」ボタンを表示する。なお、調剤情報に記載がないＥカプセルについても要確認薬品であると判定されている。例えば、予め、要確認薬品とすべき薬品のリストを設定しておき、判定部１３０は、処方箋情報１５１と要確認薬品とすべき薬品のリストとに基づいて、要確認薬品の判定を行ってもよい。
薬剤師は、目視により対象の薬品を確認した後に、入力装置９０４を介して「目視」ボタンを押下する。「目視」ボタンが押下されると、結果表示部１４２は、図１２に示すように、「目視」ボタンを「取消」ボタンに遷移させるとともに、監査結果の欄に○マークを表示する。例えば、「目視」ボタンは注意を表すように赤で表示し、「取消」ボタンは確認が済んだことを表すように緑で表示する等、色を変えて表示してもよい。
【００５４】
図１２に示すように、薬袋番号１の薬袋３４に入れるべき全ての薬品について監査が終了すると、薬袋番号１の薬袋３４に入れるべき全ての薬品が薬袋３４に入れられる。そして、薬剤師により、次の薬袋番号２の薬袋３４について、薬袋監査が行われる。
【００５５】
＜監査履歴情報の格納処理＞
次に、判定部１３０による監査履歴情報１５３の格納処理について説明する。
判定部１３０は、薬袋３４ごとの監査の履歴を監査履歴情報１５３として記憶部１５０に記憶する。また、表示部１４０の履歴表示部１４３は、監査履歴情報１５３の表示要求３６を受け付けると、監査履歴情報１５３を表示装置９０７に表示する。
【００５６】
図１３は、本実施の形態に係る監査履歴情報１５３の表示例を示す図である。
履歴表示部１４３は、入力装置９０４を介して監査履歴情報１５３の表示要求３６を受け付ける。表示要求３６には、監査履歴情報１５３の表示範囲である調剤日、監査履歴情報１５３の検索条件、表示順、および、表示する監査結果の種類といった情報が含まれる。履歴表示部１４３は、表示要求３６に応じて、監査履歴情報１５３を表示装置９０７に表示する。
図１３の監査履歴情報１５３の表示例では、ヘッダ部分に、表示範囲を指定する調剤日、検索条件、表示順、および、表示する監査結果の種類を指定するエリアが表示される。また、ボディ部分には、ヘッダ部分に入力された表示範囲、検索条件、表示順、および監査結果に対応した監査履歴情報１５３が表示される。
【００５７】
以下に、判定部１３０による監査履歴情報１５３の格納処理の一例について説明する。
図５のステップＳ３０３において、判定部１３０は、薬袋コード３２に対応する監査画面３５を表示するとともに、監査履歴情報１５３に、その薬袋コード３２に対応する１レコードを生成する。監査履歴情報１５３のレコードには、調剤日、受付番号、薬袋番号、薬袋コード３２の印刷時刻、患者氏名、生年月日、および性別といった情報が設定される。また、該当する薬品でないエラーを表すエラー１の欄と、他の薬袋に入れる薬品であるエラーを表すエラー２の欄と、その他の誤りを表す誤りの欄と、目視の有無を表す目視の欄と、監査完了日時の欄とが設けられる。エラー１、エラー２、および誤りの欄の初期値は０とする。また、目視の欄の初期値は「未」とする。
図５のステップＳ３０６において、判定部１３０は、薬品コード３３についてエラーと判定される度に、エラー１、エラー２、あるいは誤りの欄をカウントアップする。また、図５のステップＳ３１１において、判定部１３０は、目視の確認を受け付けると、目視の欄を「未」から「目」に遷移させる。
以上のように、判定部１３０は、薬袋３４ごとの監査履歴情報１５３を生成する。
また薬剤師が決定した薬品の薬品名入力間違い等により、薬袋３４を再度印刷しなおす場合がある。その場合、判定部１３０は新たに印刷した情報を累積して監査履歴情報１５３に格納する。また再印刷した理由を監査画面３５のインシデントの欄への入力により受け付け、監査履歴情報１５３に格納するように構成してもよい。
また監査履歴情報１５３に格納する履歴を受付番号毎とし、受付番号と薬袋番号とを対応付けて格納してもよい。例えば受付番号１０の薬袋番号１〜６までを印刷し、その後薬剤師が薬品名入力間違いに気がつき、受付番号１０の薬袋番号３を印刷した場合、受付番号１０の薬袋番号１〜６に対応する履歴情報と、受付番号１０の薬袋番号３に対応する履歴情報が生成される。
【００５８】
＊＊＊他の構成＊＊＊
＜変形例１＞
本実施の形態では、処方箋情報を設定する薬品を薬品名で管理している。しかし、薬品を識別する薬品識別コードを用いて管理してもよい。すなわち、上述した説明において、薬品名を薬品識別コードといった薬品を識別することができる情報に置き換えても、本実施の形態を適用することができる。
【００５９】
＜変形例２＞
本実施の形態では、薬袋監査装置１００が薬袋印刷機９０５を備える構成を説明した。しかし、薬袋印刷機９０５を薬袋監査装置１００の外部の構成としてもよい。薬袋印刷機９０５は、ＬＡＮ等のネットワークにより、薬袋監査装置１００と接続されていてもよい。
【００６０】
＜変形例３＞
本実施の形態では、薬袋コード３２は、薬袋３４に付与される。しかし、薬袋コード３２は、薬袋３４以外の薬袋管理シート３７に印刷してもよい。
図１４は、本実施の形態の変形例に係る薬袋管理シート３７の例を示す図である。
薬袋管理シート３７には、薬袋ごとの薬袋コード３２（ＱＲコード（登録商標））と、その薬袋に入れるべき薬品とが印刷されている。薬剤師は、投薬カウンターにおいて、監査対象の薬袋３４と、薬袋管理シート３７と、調剤薬品とを用いて、薬袋監査を行ってもよい。
【００６１】
＜変形例４＞
本実施の形態では、薬袋監査装置１００における処方箋情報生成部１１０と薬袋コード付与部１２０と判定部１３０と表示部１４０の機能がソフトウェアで実現される。しかし、変形例として、処方箋情報生成部１１０と薬袋コード付与部１２０と判定部１３０と表示部１４０の機能がハードウェアで実現されてもよい。
【００６２】
すなわち、図１において、プロセッサ９０１を処理回路に置き換えてもよい。
処理回路は、処方箋情報生成部１１０と薬袋コード付与部１２０と判定部１３０と表示部１４０の機能を実現する専用の電子回路である。処理回路は、具体的には、単一回路、複合回路、プログラム化したプロセッサ、並列プログラム化したプロセッサ、ロジックＩＣ、ＧＡ、ＡＳＩＣ、または、ＦＰＧＡである。ＧＡは、Ｇａｔｅ  Ａｒｒａｙの略語である。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略語である。ＦＰＧＡは、Ｆｉｅｌｄ−Ｐｒｏｇｒａｍｍａｂｌｅ  Ｇａｔｅ  Ａｒｒａｙの略語である。
【００６３】
別の変形例として、処方箋情報生成部１１０と薬袋コード付与部１２０と判定部１３０と表示部１４０の一部の機能が専用のハードウェアで実現され、残りの機能がソフトウェアで実現されてもよい。
【００６４】
プロセッサ９０１と、メモリ９０２と、処理回路とを、総称して「プロセッシングサーキットリ」という。つまり、処方箋情報生成部１１０と薬袋コード付与部１２０と判定部１３０と表示部１４０の機能は、プロセッシングサーキットリにより実現される。
【００６５】
＊＊＊本実施の形態の効果の説明＊＊＊
本実施の形態に係る薬袋監査装置１００では、薬袋とその薬袋に入れるべき薬品とを対応付けた処方箋情報と、薬袋に付与された薬袋コードと、薬品に付与されている薬品コードとを用いて、薬品が薬袋に入れるべき薬袋適合薬品であるかを判定する。よって、本実施の形態に係る薬袋監査装置１００によれば、投薬カウンターにおける薬袋への薬品の入れ間違いを防ぐことができる。
【００６６】
本実施の形態に係る薬袋監査装置１００によれば、監査画面をディスプレイに表示しながら、薬袋監査を行うことができるので、患者に安心感を与えることができる。
【００６７】
本実施の形態に係る薬袋監査装置１００によれば、監査画面に表示された薬品名に判定結果を対応付けて表示することができるので、ＧＳ１コードを読み込むたびに、薬品の正否を確認することができる。また、ＧＳ１コードを読み込むたびに、ピッキングミスあるいは処方箋情報への入力ミス等に気付くことができる。
【００６８】
本実施の形態に係る薬袋監査装置１００によれば、薬品が薬袋に入れるべき正常な薬品であっても要確認薬品である場合、目視を促すので、目視確認の抜けを防ぐことができる。
【００６９】
本実施の形態に係る薬袋監査装置１００によれば、表示要求に応じて、薬袋ごとの監査履歴情報をディスプレイに表示することができるので、インシデント事例の分析が容易となる。
【００７０】
本実施の形態に係る薬袋監査装置１００によれば、薬袋コード３２に調剤日と受付番号と薬袋番号からなる薬袋識別情報５１１を格納することにより、薬袋への薬品の入れ間違いを防ぐことができる。薬袋コード３２に格納する情報が少ないため、薬袋コード３２の大きさを制限することができ、薬袋３４の印刷面を圧迫することが少なくなる。
また薬袋コード３２に薬袋識別情報５１１以外の情報を格納することも可能である。
【００７１】
実施の形態１では、薬袋監査装置１００の各部が独立した機能ブロックとして薬袋監査装置１００を構成している。しかし、上述した実施の形態のような構成でなくてもよく、薬袋監査装置１００の機能ブロック構成は任意である。薬袋監査装置１００の機能ブロックは、上述した実施の形態で説明した機能を実現することができれば、任意である。これらの機能ブロックを、他のどのような組み合わせ、あるいは任意のブロック構成で、薬袋監査装置１００を構成しても構わない。また、薬袋監査装置１００は、１つの装置でなく、複数の装置から構成されたシステムでもよい。
【００７２】
実施の形態１について説明したが、この実施の形態のうち、複数の部分を組み合わせて実施しても構わない。あるいは、この実施の形態のうち、１つの部分を実施しても構わない。その他、これらの実施の形態を、全体としてあるいは部分的に、どのように組み合わせて実施しても構わない。
なお、上述した実施の形態は、本質的に好ましい例示であって、本発明、その適用物および用途の範囲を制限することを意図するものではなく、必要に応じて種々の変更が可能である。
【符号の説明】
【００７３】
１０  薬袋コード読取部、２０  薬品コード読取部、３１  処方箋、３２  薬袋コード、３３  薬品コード、３４  薬袋、３５  監査画面、３６  表示要求、３７  薬袋管理シート、１００  薬袋監査装置、１１０  処方箋情報生成部、１２０  薬袋コード付与部、１３０  判定部、１４０  表示部、１４１  画面表示部、１４２  結果表示部、１４３  履歴表示部、１５０  記憶部、１５１  処方箋情報、１５２  薬品テーブル、１５３  監査履歴情報、５１１  薬袋識別情報、５１２  薬品名、５１３  処方内容、５１３ａ  服用方法、５１３ｂ  処方日数、５１３ｃ  調剤情報、９０１  プロセッサ、９０２  メモリ、９０３  補助記憶装置、９０４  入力装置、９０５  薬袋印刷機、９０６  バーコードリーダ、９０７  表示装置。
【図１】
2019063383.tif 000003
【図２】
2019063383.tif 000004
【図３】
2019063383.tif 000005
【図４】
2019063383.tif 000006
【図５】
2019063383.tif 000007
【図６】
2019063383.tif 000008
【図７】
2019063383.tif 000009
【図８】
2019063383.tif 000010
【図９】
2019063383.tif 000011
【図１０】
2019063383.tif 000012
【図１１】
2019063383.tif 000013
【図１２】
2019063383.tif 000014
【図１３】
2019063383.tif 000015
【図１４】
2019063383.tif 000016
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
処方箋の処方内容ごとに薬品が入れられる薬袋を識別する薬袋識別情報と、前記薬袋に入れられる薬品の薬品名とを含む処方箋情報を記憶する記憶部と、
前記処方箋情報に基づいて、前記薬袋識別情報を表す薬袋コードを前記薬袋に付与する薬袋コード付与部と、
前記薬袋に付与された前記薬袋コードを読み取る薬袋コード読取部と、
薬品を識別する薬品コードであって、調剤された薬品に付与されている薬品コードを読み取る薬品コード読取部と、
前記薬品コード読取部により読み取られた前記薬品コードと、前記薬袋コード読取部により読み取られた前記薬袋コードと、前記処方箋情報とに基づいて、前記薬品コード読取部により読み取られた前記薬品コードに対応する薬品が、前記薬袋コード読取部により読み取られた前記薬袋コードに対応する薬袋に入れられる薬袋適合薬品であるかを判定する判定部と、
前記判定部による判定結果を表示装置に表示する表示部と
を備えた薬袋監査装置。
【請求項２】
前記表示部は、
前記薬袋コード読取部により前記薬袋コードが読み取られると、前記薬袋コードと前記処方箋情報とに基づいて、前記薬袋に入れられる薬品の薬品名を表示した監査画面を前記表示装置に表示する画面表示部と、
前記判定部から前記判定結果を取得し、前記監査画面に表示された薬品名に前記判定結果を対応付けて表示する結果表示部と
を備えた請求項１に記載の薬袋監査装置。
【請求項３】
前記処方箋情報は、
薬品の調剤に関する調剤情報を前記処方内容に含み、
前記判定部は、
前記薬品コードに対応する薬品が前記薬袋適合薬品であると判定すると、前記調剤情報に基づいて、前記薬袋適合薬品が目視で確認すべき要確認薬品かを判定し、
前記結果表示部は、
前記薬袋適合薬品が前記要確認薬品でない場合、前記監査画面に表示された前記薬袋適合薬品に対応する監査結果に、正常を表すマークを表示する請求項２に記載の薬袋監査装置。
【請求項４】
前記結果表示部は、
前記判定部により前記薬品コードに対応する薬品が前記薬袋適合薬品でないと判定されると、前記薬品コードに対応する薬品が前記薬袋適合薬品でないことを表すエラーメッセージを前記表示装置に表示する請求項３に記載の薬袋監査装置。
【請求項５】
前記結果表示部は、
前記薬袋適合薬品が前記要確認薬品である場合、前記監査画面に表示された前記薬袋適合薬品に対応する監査結果に、目視による確認を促すマークを表示する請求項３に記載の薬袋監査装置。
【請求項６】
前記薬袋監査装置は、
薬品名と薬品コードとを対応付けた薬品テーブルを備え、
前記判定部は、
前記薬品コードに基づいて前記薬品テーブルから前記薬品コードに対応する薬品名を取得し、前記薬袋コードに基づいて前記処方箋情報から前記薬袋コードが表す前記薬袋識別情報に対応する薬品名を取得し、前記薬品コードに対応する薬品名が前記薬袋識別情報に対応する薬品名に含まれる場合に、前記薬品コードに対応する薬品が前記薬袋適合薬品であると判定する請求項１から５のいずれか１項に記載の薬袋監査装置。
【請求項７】
前記判定部は、
前記薬袋ごとの監査の履歴を監査履歴情報として前記記憶部に記憶する請求項１から６のいずれか１項に記載の薬袋監査装置。
【請求項８】
前記表示部は、
前記監査履歴情報の表示要求を受け付けると、前記監査履歴情報を前記表示装置に表示する履歴表示部を備えた請求項７に記載の薬袋監査装置。
【請求項９】
前記薬袋コードは、２次元バーコードである請求項１から８のいずれか１項に記載の薬袋監査装置。
【請求項１０】
処方箋の処方内容ごとに薬品が入れられる薬袋を識別する薬袋識別情報と、前記薬袋に入れられる薬品の薬品名とを含む処方箋情報を記憶する記憶部を備えた薬袋監査装置の薬袋監査方法において、
薬袋コード付与部が、前記処方箋情報に基づいて、前記薬袋識別情報を表す薬袋コードを前記薬袋に付与し、
薬袋コード読取部が、前記薬袋に付与された前記薬袋コードを読み取り、
薬品コード読取部が、薬品を識別する薬品コードであって、調剤された薬品に付与されている薬品コードを読み取り、
判定部が、前記薬品コード読取部により読み取られた前記薬品コードと、前記薬袋コード読取部により読み取られた前記薬袋コードと、前記処方箋情報とに基づいて、前記薬品コード読取部により読み取られた前記薬品コードに対応する薬品が、前記薬袋コード読取部により読み取られた前記薬袋コードに対応する薬袋に入れられる薬袋適合薬品であるかを判定し、
表示部が、前記判定部による判定結果を表示装置に表示する薬袋監査方法。
【請求項１１】
処方箋の処方内容ごとに薬品が入れられる薬袋を識別する薬袋識別情報と、前記薬袋に入れられる薬品の薬品名とを含む処方箋情報を記憶する記憶部を備えた薬袋監査装置の薬袋監査プログラムにおいて、
前記処方箋情報に基づいて、前記薬袋識別情報を表す薬袋コードを前記薬袋に付与する薬袋コード付与処理と、
前記薬袋から読み取られた前記薬袋コードと、薬品を識別する薬品コードであって、調剤された薬品から読み取られた薬品コードとを取得し、前記調剤された薬品から読み取られた前記薬品コードと、前記薬袋から読み取られた前記薬袋コードと、前記処方箋情報とに基づいて、前記調剤された薬品から読み取られた前記薬品コードに対応する薬品が、前記薬袋から読み取られた前記薬袋コードに対応する薬袋に入れられる薬袋適合薬品であるかを判定する判定処理と、
前記判定処理による判定結果を表示装置に表示する表示処理と
をコンピュータである前記薬袋監査装置に実行させる薬袋監査プログラム。